(57)【要約】【課題】フィルム部材を確実に検出することのできる液晶表示装置におけるフィルム部材の検出方法を提供する。【解決手段】液晶表示パネル１に対して光センサ１１の発光器から帯状の光を出射し、この帯状の光の反射光を受光器で受光し、受光器で受光した帯状の反射光の光量に基づいて液晶表示パネル１に貼着されているフィルム部材３の有無を検出する。【選択図】      図１
2004302229.tif 000002
【特許請求の範囲】
【請求項１】
液晶表示パネルに対して発光器から光を出射し、前記光の反射光を受光器で受光し、前記受光器で受光した反射光の光量に基づいて前記液晶表示パネルに貼着されているフィルム部材の有無を検出する液晶表示装置におけるフィルム部材の検出方法において、
前記フィルム部材の有無を検出する際に用いる光が帯状に形成されていることを特徴とする液晶表示装置におけるフィルム部材の検出方法。
【請求項２】
前記フィルム部材が、光学フィルムである請求項１に記載の液晶表示装置におけるフィルム部材の検出方法。
【発明の詳細な説明】
【０００１】
【発明の属する技術分野】
本発明は、液晶表示装置におけるフィルム部材の検出方法に関する。
【０００２】
【従来の技術】
従来から、文字や図形などの各種の情報を表示する表示装置の一種として液晶表示装置が知られており、このような液晶表示装置の表示部として、一対の基板の間に液晶が封入された液晶表示パネルが用いられている。
【０００３】
このような液晶表示装置として、液晶表示パネルに外光を透過あるいは反射するフィルム部材を貼着した構成のものがある。ここでいうフィルム部材とは、例えば液晶表示パネルの観察側とは反対側の背面側に貼着される光学フィルムなどを挙げることができる。なお、光学フィルムとしては、情報の表示時における背景色を得るための単色の有色フィルムからなるカラーフィルタや、拡散フィルム、反射板、半透過板などを挙げることができる。
【０００４】
ところで、液晶表示パネルにフィルム部材を貼着することにより構成されている液晶表示装置は、その製造過程において、液晶表示パネルにフィルム部材を貼着する工程がある。このフィルム部材の貼着工程においては、フィルム部材を貼着する前に、液晶表示パネルにフィルム部材が既に貼られているか否かを検出することで、液晶表示パネルに対するフィルム部材の二重貼りを防止するようにされている。
【０００５】
このようなフィルム部材の有無の検出は、目視では判断が困難などの理由により、図２に示すように、液晶表示パネル１に向かって反射型の光センサ２の発光器からスポット状の光を出射し、この光の反射光を受光器で受光し、受光した光の光量に基づいて行われている。すなわち、フィルム部材３の有無を、反射光の光量に基づいて検出するようにされている。
【０００６】
例えば、液晶表示パネル１にカラーフィルタなどのフィルム部材３が正常に貼着されているときの光センサ２の受光器が受光する反射光の光量を閾値として予め設定しておき、受光した反射光の光量が閾値以上の場合、あるいは閾値以下の場合、あるいは所定範囲内の場合に、フィルム部材３「無し」と検出し、逆の場合には、フィルム部材３が既に貼着されているフィルム部材３「有り」と検出するとともに、ブザーなどの警告手段を動作させ、かつ、製造ラインをストップするように構成されている。
【０００７】
【発明が解決しようとする課題】
しかしながら、従来のフィルム部材の検出方法においては、フィルム部材３があるにもかかわらずフィルム部材３を「無し」と検出する誤検出が生じ、正確な検出をすることができないという問題点があった。
【０００８】
すなわち、光センサ２のスポット状の出射光が照射されるフィルム部材３の表面の照射部の一部に、ゴミなどの小さな異物が付着していたり、マークが形成されていると、こられの異物および／またはマークなどの非適正部（図２に小さな斜線領域にて示す）４の存在により、光センサ２の受光器が受光する反射光の光量が正常な場合と異なってしまい、フィルム部材３があるにもかかわらず、フィルム部材３の有無を「無し」と誤検出し、フィルム部材３の二重貼りが生じるという問題点があった。
【０００９】
なお、マークとは、例えば搬送時や取扱時に汚れや損傷を防止するためフィルム部材に貼り付けられている保護用被覆フィルムの表面に形成されているロゴ、製造ロット番号、型番などであり、保護用被覆フィルム自体の色とは異なる視認性のよい色が用いられている。このマークを複数設けた保護用被覆フィルムは、フィルム部材が切り出されるサイズの大きな原反に対して貼り付けられているので、原反から切り出された多数のフィルム部材の表面のランダムな位置にマークが存在することになる。
【００１０】
本発明はこの点に鑑みてなされたものであり、フィルム部材を確実に検出することのできる液晶表示装置におけるフィルム部材の検出方法を提供することを目的とする。
【００１１】
【課題を解決するための手段】
前述した目的を達成するため特許請求の範囲の請求項１に係る本発明の液晶表示装置におけるフィルム部材の検出方法の特徴は、液晶表示パネルに対して発光器から光を出射し、前記光の反射光を受光器で受光し、前記受光器で受光した反射光の光量に基づいて前記液晶表示パネルに貼着されているフィルム部材の有無を検出する液晶表示装置におけるフィルム部材の検出方法において、前記フィルム部材の有無を検出する際に用いる光が帯状に形成されている点にある。そして、このような構成を採用したことにより、帯状の光は照射範囲を大きくして反射光の光量の標準化を容易に図ることができるので、照射領域の一部に異物やマークが存在しても反射光の光量変化を少なくすように働く。したがって、フィルム部材を確実に検出することができる。
【００１２】
また、請求項２に係る本発明の液晶表示装置におけるフィルム部材の検出方法は、請求項１において、前記フィルム部材が、光学フィルムである点にある。そして、このような構成を採用したことにより、液晶表示パネルに貼着する光学フィルムの二重貼りを確実に防止することができる。
【００１３】
【発明の実施の形態】
以下、本発明を図面に示す実施形態により説明する。なお、前述した従来のものと同一の構成については図面中に同一の符号を付す。
【００１４】
図１は本発明に係る液晶表示装置におけるフィルム部材の検出方法の実施形態におけるフィルム部材の検出状態を示す模式図である。
【００１５】
図１に示すように、本実施形態の液晶表示装置におけるフィルム部材の検出方法は、液晶表示パネル１に向かって反射型の光センサ１１の発光器から帯状の光を出射し、この光の反射光を受光器で受光し、受光した光の光量に基づいて行われている。すなわち、フィルム部材３の有無を、帯状の反射光の光量に基づいて検出するようにされている。
【００１６】
具体的には、液晶表示パネル１にフィルム部材３が正常に貼着されているときの光センサ１１の受光器が受光する反射光の光量を閾値として予め設定しておき、受光した反射光の光量が閾値以上の場合、あるいは閾値以下の場合、あるいは所定範囲内の場合に、フィルム部材３「無し」と検出し、逆の場合には、フィルム部材３が既に貼着されているフィルム部材３「有り」と検出するとともに、ブザーなどの警告手段を動作させ、かつ、製造ラインをストップするように構成されている。
【００１７】
前記フィルム部材３としては、光センサ１１の発光器からの光の反射光を得ることのできるもの、例えば光学フィルムなどを挙げることができる。
【００１８】
なお、光学フィルムとしては、情報の表示時における背景色を得るための単色の有色フィルムからなるカラーフィルタや、拡散フィルム、反射板、半透過板などを挙げることができる。
【００１９】
つぎに、前述した構成からなる本実施形態の作用について説明する。
【００２０】
本実施形態の液晶表示装置におけるフィルム部材の検出方法によれば、光センサ１１の発光器から照射される帯状の光は照射範囲を大きくして反射光の光量の標準化を容易に図ることができるので、出射光の照射領域の一部に異物やマークなどの非適正部４が存在しても、反射光の光量変化を少なくすように働く。
【００２１】
したがって、本実施形態の液晶表示装置におけるフィルム部材の検出方法によれば、フィルム部材３を確実に検出することができる。
【００２２】
また、本実施形態の液晶表示装置におけるフィルム部材の検出方法によれば、フィルム部材３が、光学フィルムであるから、液晶表示パネル１に貼着する光学フィルムの二重貼りを確実に防止することができる。
【００２３】
なお、本発明は前記実施形態に限定されるものではなく、必要に応じて種々変更することができる。
【００２４】
【発明の効果】
以上説明したように請求項１に係る本発明の液晶表示装置におけるフィルム部材の検出方法によれば、フィルム部材を確実に検出することができるなどの極めて優れた効果を奏する。
【００２５】
また、請求項２に係る本発明の液晶表示装置におけるフィルム部材の検出方法によれば、晶表示パネルに貼着する光学フィルムの二重貼りを確実に防止することができるなどの極めて優れた効果を奏する。
【図面の簡単な説明】
【図１】本発明に係る液晶表示装置におけるフィルム部材の検出方法の実施形態におけるフィルム部材の検出状態を示す模式図
【図２】従来の液晶表示装置におけるフィルム部材の検出方法におけるフィルム部材の検出状態を示す模式図
【符号の説明】
１  液晶表示パネル
３  フィルム部材
４  非適正部
１１  光センサ
【図１】
2004302229.tif 000003
【図２】
2004302229.tif 000004